(57)【要約】  【課題】炊飯器や電気湯沸し器などの保温機器に適した断熱カバーを提供する。  【解決手段】被保温物（炊飯器）４の少なくとも一部を被覆する被覆体１と、被覆体１の内面または外面に設けられた高い赤外線反射率を有する赤外線反射シート２とからなる断熱カバーを、炊飯器や電気湯沸し器などの保温機器に適用した場合、保温機器の保温性を高め、消費エネルギー量を低減することができる。また、断熱カバーに貫通孔３を設けたことにより内部の蒸れや異常高温化を抑制することができる。【選択図】図１
2006046441.tif 000002
【特許請求の範囲】
【請求項１】
被保温物の少なくとも一部を被覆する被覆体と、前記被覆体の内面の少なくとも一部に設けられた赤外線反射率５０％以上の赤外線反射シートとからなる断熱カバー。
【請求項２】
被保温物の少なくとも一部を被覆する被覆体と、前記被覆体の外面の少なくとも一部に設けられた赤外線反射率５０％以上の赤外線反射シートとからなる断熱カバー。
【請求項３】
少なくとも一部に貫通孔を有する請求項１または２に記載の断熱カバー。
【請求項４】
赤外線反射シートは、金属箔、金属蒸着層を有する請求項１から３のいずれか一項に記載の断熱カバー。
【請求項５】
赤外線反射シートは、金属箔、金属蒸着層の上層に赤外線透過層を有したラミネート構造体である請求項１から４のいずれか一項に記載の断熱カバー。
【請求項６】
赤外線反射シートは、被覆体より着脱自在とした請求項１から５のいずれか一項に記載の断熱カバー。
【請求項７】
被保温物の少なくとも一部を被覆する被覆体からなり、前記被覆体の少なくとも一部に貫通孔を有する断熱カバー。
【請求項８】
被覆体が開閉自在である開口部を有した請求項１から７のいずれか一項に記載の断熱カバー。
【請求項９】
被覆体の最外層は、耐水性を有する素材からなる請求項１から８のいずれか一項に記載の断熱カバー。
【請求項１０】
被覆体は、水洗可能な素材からなる請求項６または７に記載の断熱カバー。
【発明の詳細な説明】
【技術分野】
【０００１】
本発明は、炊飯器や電気湯沸し器、飲料用ペットボトルや調理鍋などの保温を必要とする機器類における保温性の向上を目的とした断熱カバーに関するものである。
【背景技術】
【０００２】
従来、この種の断熱カバーは、ペットボトルの保冷を目的として、断熱カバー内面にアルミ蒸着層を設けたものがある（例えば、特許文献１参照）。
【０００３】
図１０は、特許文献１に記載された従来の断熱カバーを示すものである。図１０に示すように、保冷専用袋は、袋状部３と、折り曲げカバー部５とからなり、袋状部３は、複数の積層構造からなる前面シート１９および後面シート２１とから構成されており、前面シート１９には、アルミ蒸着層が含まれている。
【０００４】
袋内に低温のプラスチックボトルを挿入すると、袋状部の積層構造により断熱され、プラスチックボトル内部の温度は低温に保たれる。
【特許文献１】特開平７−２１５３７５号公報
【発明の開示】
【発明が解決しようとする課題】
【０００５】
しかしながら、上記従来の構成では、断熱カバーの内面に設置したアルミ蒸着層の赤外線反射率が不十分であることや、または赤外線の大部分がアルミ蒸着層の上層の保護層のフィルムにて吸収されていたため、赤外線の反射による保温効果は十分ではなかった。
【０００６】
また、炊飯器や電気湯沸し器など、蒸気孔を有し、そこから高温の水蒸気を排出するような保温機器の運転中に用いた場合、断熱カバー内部に水蒸気が水滴として付着するとともに、内部が異常に高温となり、保温機器の筐体の樹脂変形や発火などの恐れがあったため、適用することができなかった。
【０００７】
また、これらの機器において蓋体と胴体とを有する場合、断熱カバーの適用時には蓋開閉ができない為、蓋開閉を行う毎に断熱カバーを機器より着脱する必要があり、使い勝手が悪いという課題を有していた。
【０００８】
本発明は、上記従来の課題を解決するもので、保温性がよく、炊飯器や電気湯沸し器などの保温機器の運転時に適用することができ、また使い勝手のよい断熱カバーを提供することを目的とする。
【課題を解決するための手段】
【０００９】
上記従来の課題を解決するために、本発明の断熱カバーは、被保温物を被覆する被覆体の内面または外面に赤外線反射率５０％以上の赤外線反射シートを設けたのである。
【００１０】
これによって、保温機器から外部への輻射による伝熱を従来よりも大幅に低減することができるので、保温性が向上し、保温機器の消費エネルギー量を従来よりも低減することができる。
【００１１】
また、本発明の断熱カバーは、少なくとも一部分に貫通孔を設けたものであり、これによって蒸気孔を有する保温機器に適用した場合の蒸気通路を形成することができるので、断熱カバー内部の蒸れや異常高温化を抑制することができ、保温機器の運転時にも断熱カバーを適用することが可能となる。
【００１２】
また、本発明の断熱カバーは、開閉自在となる開口部を設けたものであり、これにより保温機器の蓋開閉を、断熱カバーを適用したまま行うことができるので使い勝手性を向上させることができる。
【発明の効果】
【００１３】
本発明の断熱カバーは、被覆体の内面または外面に高い赤外線反射率を有する赤外線反射シートを適用したものであり、炊飯器や電気湯沸し器などの保温機器に適用した場合、保温機器の保温性を高め、消費エネルギー量を低減することができる。
【００１４】
また、断熱カバーに貫通孔を設けたことにより、内部の蒸れや異常高温化を抑制することができる。
【００１５】
また、断熱カバーに開閉自在となる開口部を設けたことにより、保温機器の蓋開閉が断熱カバーを着用したまま行うことができるので、使い勝手のよい断熱カバーを提供することができる。
【発明を実施するための最良の形態】
【００１６】
請求項１に記載の断熱カバーの発明は、被保温物の少なくとも一部を被覆する被覆体と、前記被覆体の内面の少なくとも一部に設けられた赤外線反射率５０％以上の赤外線反射シートとからなるものであり、被保温物から外部への輻射による伝熱を低減したもので、これにより被保温物の保温性を高め、保温に要する消費エネルギー量を低減することができる。また、断熱カバーで被覆することにより、被保温物への汚れの付着を低減するとともに、断熱カバーを使用者の嗜好に添った色、柄を有する生地にて作製することができるので、インテリア性を向上することができる。
【００１７】
請求項２に記載の断熱カバーの発明は、被保温物の少なくとも一部を被覆する被覆体と、前記被覆体の外面の少なくとも一部に設けられた赤外線反射率５０％以上の赤外線反射シートとからなるものであり、外部から被保温物への輻射による伝熱を低減したもので、これにより被保温物への熱の流入を低減し、保温に要する消費エネルギー量を低減することができる。
【００１８】
請求項３に記載の断熱カバーの発明は、請求項１または２に記載の発明の断熱カバーの少なくとも一部に貫通孔を有するものであり、これにより被保温物が蒸気排出口などを有する機器である場合に、断熱カバー内部から外部への蒸気孔の役割を果たすので、蒸気の蓄積による断熱カバー内部の蒸れや、断熱カバー内部の異常高温化による被保温物へ与える悪影響を防止することができる。
【００１９】
請求項４に記載の断熱カバーの発明は、請求項１から３のいずれか一項に記載の発明における赤外線反射シートが、金属箔または金属蒸着層を有するものであり、これにより赤外線反射シートは高い反射性を有し、被保温物から外部への輻射による伝熱の低減、または外部から被保温物への輻射による伝熱を低減することができるので、被保温物の保温に要するエネルギー量を低減することができる。
【００２０】
請求項５に記載の断熱カバーの発明は、請求項１から４のいずれか一項に記載の発明における赤外線反射シートが、金属箔、金属蒸着層の上層に赤外線透過層を有したラミネート構造体であるものであり、これにより赤外反射シートの反射性を阻害することなく、赤外線反射層の酸化、破れ、傷などを抑制することができるので、赤外線反射性能の劣化を低減し、断熱カバーの断熱性の経時信頼性を高めることができる。
【００２１】
請求項６に記載の断熱カバーの発明は、請求項１から５のいずれか一項に記載の発明の赤外線反射シートが、被覆体より着脱自在であるものであり、これにより赤外線反射シートが著しく汚れた場合には、赤外線反射シート単品を交換することができるので、断熱カバーを清潔に保つことができる。
【００２２】
請求項７に記載の断熱カバーの発明は、被保温物の少なくとも一部を被覆する被覆体からなり、前記被覆体の少なくとも一部に貫通孔を有するものであり、被保温物から漏洩する対流による伝熱を低減することができるので、被保温物の保温性を高め、消費エネルギー量を低減することができる。また貫通孔を有することにより被保温物が蒸気排出口などを有する機器である場合に、断熱カバー内部から外部への蒸気孔の役割を果たすので、蒸気の蓄積による断熱カバー内部の蒸れや、断熱カバー内部の異常高温化により被保温物へ与える悪影響を防止することができる。なお、請求項７に記載の発明は、被覆体の少なくとも一部に特に反射率を規定しないシートを備えているものを含む。
【００２３】
請求項８に記載の断熱カバーの発明は、請求項１から７のいずれか一項に記載の発明における被覆体が、開閉自在である開口部を有するものであり、これにより蓋体と胴体を有する機器に断熱カバーを適用する際、断熱カバーを着用したまま保温機器の蓋開閉を行うことができるので、断熱カバーの使い勝手性が向上する。
【００２４】
請求項９に記載の断熱カバーの発明は、請求項１から８のいずれか一項に記載の発明における被覆体の最外層が、耐水性を有する素材からなるものであり、これにより汚れの付着等が生じた場合には、水拭きなどにより容易に取り除くことができ、断熱カバーを清潔に保つことができる。
【００２５】
請求項１０に記載の断熱カバーの発明は、請求項６または７に記載の発明における被覆体が、水洗可能な素材からなるものであり、これにより汚れの付着等が生じた場合には、被覆体部分のみを水洗することができるので、断熱カバーを清潔に保つことができる。
【００２６】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００２７】
（実施の形態１）
図１は、本発明の実施の形態１における炊飯器４へ適用したの断熱カバーの断面図である。
【００２８】
図１において、被覆体１は、被保温物である炊飯器４の天面と側面を被覆しており、被覆体１の内面には、赤外線反射率５０％以上の赤外線反射シート２が設置されている。また、被保温物である炊飯器４の天面には蒸気孔５が存在し、その上方を覆う断熱カバー部には蒸気孔５に対応するように貫通孔３を設けている。
【００２９】
図２は本発明の実施の形態１による断熱カバーの赤外線反射シート２の断面図である。赤外線反射シート２は、上層に赤外線透過層７と、中層に赤外線反射層８と、下層に保護層９とが積層され、接着剤１０にてラミネートされたフィルムである。
【００３０】
図３は本発明の実施の形態１における断熱カバー内面を示す平面図である。図３において、被覆体１の内面には折り返された被覆体マチ部１１と、被覆体マチ部１１と縫合された留め具１２を有している。留め具１２の両端部は被覆体マチ部１１に縫合されており、留め具１２と被覆体１の内面との間には赤外線反射シート２が挿入され、固定されている。
【００３１】
以上のように構成された断熱カバーについて、以下その動作、作用を説明する。
【００３２】
本発明の実施の形態１の断熱カバーは、炊飯器４の天面と側面を被覆する形状となっており、炊飯器の上方より覆いかぶせて使用するものであるが、底面を被覆する袋形状であっても構わないものとする。
【００３３】
被覆体１で炊飯器４被覆することにより、炊飯器４筐体から外部への空気対流による熱伝達を低減することができ、また被覆体１内面に設置した赤外線反射シート２により炊飯器４筐体からの輻射の大部分を反射することができるので、輻射伝熱を低減することができる。これにより、炊飯器４の放熱量が低減し、保温時に要するエネルギー消費量を低減することができる。
【００３４】
炊飯中には、炊飯器４の天面に存在する蒸気孔５により多量の水蒸気放出が生じるが、貫通孔３が通気孔となるため、断熱カバー内部に水蒸気が蓄積することはないので、断熱カバー内部の蒸れや異常高温化による樹脂変形などを抑制することができる。よって、断熱カバーに貫通孔３を設けたことにより、断熱カバーを炊飯器４や電気湯沸し器などの蒸気を排出する機構を持つ機器の作動中に適用することが可能となる。
【００３５】
また、炊飯器４は通常台所に設置されることが多いが、台所では加熱調理時における油の飛散などが多い為、炊飯器４の筐体表面にはホコリと油分の混合した汚れが付着し易く、水拭きなどで容易に取り除くことが困難であった。本発明の断熱カバーを炊飯器４に適用した場合、炊飯器４への汚れの付着を防止することができるので、衛生面において良好であるとともに、清掃の手間を省くことができる。
【００３６】
また、断熱カバーを使用者の嗜好に添った色、柄を有する生地にて作製することができるので、個人の満足感が高まるとともに、インテリア性を向上することができる。
【００３７】
被覆体１とは、被保温物の少なくとも一部を被覆するものであり、その設置方法は、被保温物と密着または多少の空間を有するものとするが、特に規定するものではない。被覆体１の素材としては、防水性を備えた素材を用いた場合、汚れの付着時に払拭にて除去することが可能となるため、衛生面において好ましく、また清掃性が向上する。素材としては、ポリ塩化ビニル系のシートやポリエチレン系のシートなどが適しているが、使用温度域における耐熱性と耐水性を有し、成型加工が容易な素材であれば良く、特に指定するものではない。
【００３８】
また、被覆体１の素材として、水洗可能な素材を用いた場合には、汚れの付着時に手洗いまたは電気洗濯機による水洗にて簡便に汚れを除去することが出来、衛生面においても好ましい。水洗可能な素材としては、不織布または布帛、またはこれらの積層品が好ましく、このうち使用温度域における耐熱性を有するものであれば、有機材料、無機材料を問わず使用できる。中でも、キルティング加工を施し布帛と不織布を積層した素材を使用した場合、不織布の内部の空気断熱効果によりいっそう良好な保温効果が得られる為、被覆体１の素材として好ましい。
【００３９】
赤外線反射シートの被覆体１への設置法としては、例えばゴムのような伸縮性を有した素材からなる留め具１２の両端を被覆体マチ部１１と縫合したものを被覆体内部の数箇所に設置し、留め具１２と被覆体１の内面との間に赤外線反射シートを挟み込むことにより固定する方法などがある。
【００４０】
また、赤外線反射シート２を、被覆体１にポリエチレン系両面テープなどにより接着する、または被覆体とともにキルティング加工をおこなう、被覆体１と赤外線反射シート２にフックを設け接合するなどが挙げられるが、特に指定するものではない。
【００４１】
赤外線反射シート２の赤外線反射率を変え、炊飯器４の消費電力と筐体表面の熱貫流率を測定した結果を実施例１から３に示す。赤外線反射シート２の赤外線反射率が５０％とした断熱カバー（実施例１）と、を炊飯器４に適用した場合について評価した。また、被覆体１には、厚み５ｍｍの綿不織布の両側を厚み１ｍｍの綿布で挟み、キルティング加工を施した素材を使用した。
【００４２】
炊飯器の消費電力評価は、２５℃の室内にて、容器内に５合の米とそれに適した量の水を入れ、炊飯終了後より１２時間、７５℃保温設定で保温した場合の消費電力を、積算電力計にて計測した。炊飯器４単体（比較例１）と、炊飯器４に断熱カバーを適用した場合の消費電力を（表１）に示す。炊飯器４単体（比較例１）の炊飯器４の消費電力計測した結果は４３８Ｗであった。
【００４３】
【表１】
2006046441.tif 000003
熱貫流率の測定は、熱流センサーを炊飯器の蓋と、蓋と胴の継ぎ目である開口部６と、胴のそれぞれ数箇所へ等間隔に設置し、得られた熱流値に炊飯器４の内部温度と表面温度との差の逆数を乗じて、各部分における熱貫流率とした。測定点1〜２は蓋、測定点３〜５は開口部６周囲、測定点６〜９は胴部へそれぞれ設置した。断熱カバーを設置した（実施例１）については、熱流センサーを直接断熱カバーの被覆体１の外側に設置した。炊飯器４単体（比較例１）と、炊飯器４に断熱カバーを適用した場合の熱貫流率を図４に示す。炊飯器４単体（比較例１）の熱貫流率の値より、炊飯器４の熱漏洩は蓋と胴の継ぎ目である開口部６において最も大きく、その最大値は１３Ｗ／ｍ2Kであった。
【００４４】
（実施例１）
赤外線反射シート２として、赤外線反射率５０％のフィルムを用いた。赤外線反射シート２は、赤外線透過層７として２０μｍのＥＴＦＥフィルムと、赤外線反射層８として１２μｍのアルミ箔と、保護層９として２０μｍのナイロンフィルムとを順に積層し、各層を接着材１０によりラミネートしたものである。
【００４５】
炊飯器４の消費電力は３０５Ｗであり、比較例１より３０％低減した。熱貫流率においては、特に開口部６において、比較例１より最大８０％低減した。
【００４６】
被覆体１を適用することにより、炊飯器４からの対流による伝熱を低減することができるので、炊飯器４の保温性が向上し、消費エネルギー量を低減することができる。また赤外線反射率５０％のフィルムを適用することにより、輻射の低減効果を得ることができるので、炊飯器４の保温性が向上し、消費エネルギー量を低減することができる。
【００４７】
赤外線反射率が５０％以上の赤外線反射シート２としては、例えば少なくとも３層構造以上のラミネート構造をなすものである。
【００４８】
赤外線透過層７には、例えばＥＴＦＥフィルム、ＦＥＰフィルム、ＰＦＡフィルム、ＰＰＳフィルムなどが適用でき、特に指定するものではないが、赤外線透過率が２５％以上の材料が好ましい。赤外線波長領域である２〜２５μｍの吸収率が小さいフッ素系樹脂フィルムやポリフェニレンサルファイドフィルムとすることにより、赤外線反射層８での赤外線反射を効率良く行うことができる。
【００４９】
中層の赤外線反射層８は高い赤外線反射性を有した金属箔または金属蒸着層からなるものであり、金属素材としては金、銀、胴、アルミ、鉄、ニッケルなどが適用できるが、特に指定するものではない。一般にアルミ箔が安価であり、汎用性が高い。
【００５０】
下層の保護層９は、ナイロンフィルムやポリエチレンテレフタレートフィルム、ポリエチレンナフタレートフィルムなど、有機フィルム、無機フィルムを問わず適用することができる。また、赤外線反射層８が金属蒸着層よりなる場合には、保護層９が蒸着時の基材となることができる。
【００５１】
赤外線反射シート２に照射された輻射は、赤外線透過層７によりその大部分が透過し、赤外線反射層８にて、その大部分が反射されるので、輻射による伝熱を効率良く低減することができる。また、赤外線透過層７とともに保護層９は金属箔、金属蒸着層の酸化劣化や腐食、破れ、傷などを低減する効果を有するので、赤外線反射性を経続的に保持することができる。
【００５２】
（比較例１）
炊飯器４の内部に５合の米と適量の水を入れ、２５℃の室内にて炊飯し、保温時１２時間の積算電力を計測したところ、４３８Ｗであった。また、炊飯器４の筐体の熱貫流率を計測したところ、熱貫流率の値は開口部６周辺にて顕著に大きく、その最大値は１３Ｗ／ｍ2Kであった。
【００５３】
（実施の形態２）
図５は、本発明の実施の形態２における炊飯器４へ適用したの断熱カバーの断面図である。
【００５４】
図５において、被覆体１は被保温物である炊飯器４の天面と側面を被覆しており、また被保温物である炊飯器４の天面には蒸気孔５が存在し、その上方を覆う被覆体１には貫通孔３を設けている。なお、実施の形態２の断熱カバーは、被覆体の少なくとも一部に特に反射率を規定しないシートを備えているものを含む。
【００５５】
本発明の実施の形態２の断熱カバーは、炊飯器４の天面と側面を被覆する形状となっており、炊飯器の上方より覆いかぶせて使用するものであるが、底面を被覆する袋形状であっても構わないものとする。
【００５６】
被覆体１で炊飯器４被覆することにより炊飯器４筐体から外部への空気対流による熱伝達を低減することができる。これにより、炊飯器４の放熱量が低減し、保温時に要するエネルギー消費量を低減することができる。
【００５７】
炊飯中には、炊飯器４の天面に存在する蒸気孔５により多量の水蒸気放出が生じるが、貫通孔３が通気孔となるため、断熱カバー内部に水蒸気が蓄積することはないので、断熱カバー内部の蒸れや異常高温化による樹脂変形などを抑制することができる。よって、断熱カバーに貫通孔３を設けたことにより、断熱カバーを炊飯器４や電気湯沸し器などの蒸気を排出する機構を持つ機器の作動中に適用することが可能となる。
【００５８】
また、炊飯器４は通常台所に設置されることが多いが、台所では加熱調理時における油の飛散などが多い為、炊飯器４の筐体表面にはホコリと油分の混合した汚れが付着し易く、水拭きなどで容易に取り除くことが困難であった。本発明の断熱カバーを炊飯器４に適用した場合、炊飯器４への汚れの付着を防止することができるので、衛生面において良好であるとともに、清掃の手間を省くことができる。
【００５９】
また、断熱カバーを使用者の嗜好に添った色、柄を有する生地にて作製することができるので、個人の満足感が高まるとともに、インテリア性を向上することができる。
【００６０】
断熱カバーの条件を変え、炊飯器４の消費電力と筐体表面の熱貫流率を測定した結果を実施例２から３に示す。被覆体１のみから構成される断熱カバー（実施例３）と、被覆体１の内面に赤外線反射率３５％のシートを備えた断熱カバー（実施例２）とをそれぞれ炊飯器４に適用した場合について評価した。また、評価方法と被覆体１の材料条件については、実施の形態１中の実施例１と同様におこない、各々の消費電力は（表１）に、熱貫流率は図４に示した。
【００６１】
（実施例２）
実施例２では、炊飯器４を被覆する断熱カバーに貫通孔３を有した被覆体１単体を適用した。炊飯器４の消費電力は３７２Ｗであり、比較例１より１５％低減した。炊飯器４の開口部６の熱貫流率においては実施例２よりやや大きく、比較例１より最大６０％低減している。
【００６２】
被覆体１単体を適用した場合においても、炊飯器４からの対流による伝熱を低減することができるので、炊飯器４の保温性が向上し、消費エネルギー量を低減することができるとともに、赤外線反射シート２を設置する場合よりもコストを削減することができる。被覆体１の適用のみで保温効果が向上する要因としては、従来熱漏洩が大きい開口部６周囲を被覆したことによる断熱効果が大きいためと考えられる。
【００６３】
（実施例３）
被覆体１の内面に赤外線反射率３５％のラミネートフィルムを用いた。欄にネートフィルムは、２０μｍのナイロンフィルムと、赤外線反射層８となる１２μｍのアルミ箔と、保護層９となる２０μｍのＰＥＴフィルムとを順に積層し、各層を接着材１０によりラミネートしたものである。
【００６４】
炊飯器４の消費電力は３６３Ｗであり、比較例１より１７％低減した。炊飯器４の熱貫流率においては、実施例１よりは劣るが、特に開口部６において比較例１より最大６５％低減した。
【００６５】
被覆体１を適用することにより、炊飯器４からの対流による伝熱を低減することができるので、炊飯器４の保温性が向上し、消費エネルギー量を低減することができる。また赤外線反射率３５％のフィルムを適用することにより輻射の反射効果が得られるので、炊飯器４の保温性が向上し、消費エネルギー量を低減することができる。
【００６６】
以上より、断熱カバーにおいて有意な輻射の反射効果を得るためには、被覆体１の内面には赤外線反射率が５０％以上の赤外線反射シート２を使用するのが望ましいが、赤外線反射率が５０％未満のシートとして例えばラミネートフィルや単層フィルムなどを用いた場合にも、炊飯器４からの対流による伝熱の低減効果が得られるので、炊飯器４の保温性が向上し、消費エネルギー量を低減することができる。
【００６７】
また、赤外線反射率５０％未満のシートとしては、単層またはラミネート構造の有機フィルムまたは無機フィルムが適用でき、使用温度域における耐熱性を有していれば特に材質と赤外線反射率を規定するものではない。
【００６８】
（実施の形態３）
図６は本発明の実施の形態３による炊飯器４に適用した断熱カバーの断面図である。
【００６９】
図６において、断熱カバー被覆体１と赤外線反射シート２とから構成されている。炊飯器４の保温時にこの断熱カバーで被覆することにより、空気の対流による伝熱の低減と、輻射による伝熱の低減効果が得られるので、炊飯器４の保温性が向上し、消費エネルギー量を低減することができる。
【００７０】
また、本実施の形態の断熱カバーで炊飯器４の停止時と保温時に被覆しておくことにより、炊飯器４への汚れの付着を防止することができるので、衛生面において良好であるとともに、清掃の手間を省くことができる。
【００７１】
（実施の形態４）
図７は本発明の実施の形態４による炊飯器４に適用した断熱カバーの断面図である。
【００７２】
図７において、内面に赤外線反射シート２を備えた被覆体２が炊飯器４の蓋と胴の継ぎ目である開口部６の周囲を被覆しており、被覆体６は例えばゴムのような伸縮性を有する素材と布帛または不織布を組み合わせた素材からなり、輪状に形成されたもので、炊飯器の開口部６の周囲はめ込み、固定させることができ、その着脱も容易におこなえる。炊飯器４の熱漏洩は開口部６が最も大きいが、従来、炊飯器内部に断熱部材を設けることが困難であった。本実施例の断熱カバーで開口部６を被覆することにより、開口部６からの熱漏洩により生じる空気の対流による伝熱と輻射による伝熱を低減することができるので、炊飯器４の保温性が向上し、消費エネルギー量を低減することができる。
【００７３】
（実施の形態５）
図８は、本発明の実施の形態５における飲料入りペットボトル１３へ適用した断熱カバーの断面図である。
【００７４】
図８において、被保温物である飲料入りペットボトル１３中には低温の飲料が封入されており、被覆体１は飲料入りペットボトル１３の底面と側面を被覆している。被覆体１の外面には赤外線反射シート２が設置されている。仮に、この断熱カバーを適用した飲料入りペットボトル１３を屋外など、輻射による伝熱の寄与度の高い場所に放置した場合においても、断熱カバーの最外層に設置した赤外線反射シート２により輻射の大部分を反射することができる。よって、断熱カバーの内部への熱の流入量を低減することにより、被保温物である飲料入りペットボトル１３を低温状態のままに保つことができる。
【００７５】
（実施の形態６）
図９は、本発明の実施の形態６における炊飯器４へ適用した断熱カバーの斜視図である。
【００７６】
図９において、炊飯器４を被覆している断熱カバーは、蓋部１４と胴部１５に区切られており、その境界に断熱カバー開口部１６が存在している。断熱カバー開口部１６を設けたことにより蓋部１４を開閉することができる。断熱カバー開口部１６には、蓋部１４を閉じた場合の留め具が必要な場合はファスナや、ボタンや、一般にマジックテープ（登録商標）と称した簡易ファスナなどを適用することができるが、特に指定するものではない。
【００７７】
この開閉機構を設けたことにより、炊飯器４の蓋開閉時には断熱カバーの蓋部１４を同時に開閉することにより、断熱カバーを取り外す必要がないので、省手間となり、使い勝手性が良好となる。
【００７８】
なお、本発明に記載した保温という概念は、保温、保冷の両方の意味を含むことを規定する。また、被保温物とは、炊飯器や電気湯沸し器、ペットボトル容器や調理鍋など、保温を要する機器全般を指すものとする。
【産業上の利用可能性】
【００７９】
本発明にかかる断熱カバーは、通常の保温機器の保温性を向上させるほか、蒸気孔を有する保温機器においても適用可能であり、それらの消費エネルギー量の低減が可能となるので、その他大型保温機器にも適用できる。
【図面の簡単な説明】
【００８０】
【図１】本発明の実施の形態１における炊飯器へ適用した断熱カバーの断面図
【図２】本発明の実施の形態１における赤外線反射シートの断面図
【図３】本発明の実施の形態１における断熱カバー内面を示す平面図
【図４】本発明の実施の形態１または２の実施例１から３における熱貫流率の推移図
【図５】本発明の実施の形態２にける炊飯器へ適用した断熱カバーの断面図
【図６】本発明の実施の形態３における炊飯器へ適用した断熱カバーの断面図
【図７】本発明の実施の形態４における炊飯器へ適用した断熱カバーの断面図
【図８】本発明の実施の形態５における飲料入りペットボトルへ適用した断熱カバーの断面図
【図９】本発明の実施の形態６における炊飯器へ適用した断熱カバーの斜視図
【図１０】従来の断熱カバーの外観構造を示す平面図
【符号の説明】
【００８１】
１    被覆体
２    赤外線反射シート
３    貫通孔
４    炊飯器
７    赤外線透過層
８    赤外線反射層
９    保護層
１３  飲料入りペットボトル
１４  蓋部
１５  胴部
１６  断熱カバー開口部
【図１】
2006046441.tif 000004
【図２】
2006046441.tif 000005
【図３】
2006046441.tif 000006
【図４】
2006046441.tif 000007
【図５】
2006046441.tif 000008
【図６】
2006046441.tif 000009
【図７】
2006046441.tif 000010
【図８】
2006046441.tif 000011
【図９】
2006046441.tif 000012
【図１０】
2006046441.tif 000013